(57)【要約】【課題】映像メールあるいは音声メールの送受信において、元データを引用された返信メールを効率的に視聴する手段を提供すること。【解決手段】引用データ検出部１０３によりデータ記憶部１０２に記録されている映像データ、あるいは音声データから引用部分を検出する。その引用部分情報を用いることにより、映像・音声再生制御部１０４および映像・音声再生部１０５を用いて、引用部分を高速再生し、返信側で追加された新規映像・音声部分を通常再生することが可能となり、元データと返答データとの対応を理解しつつ、返信された映像・音声メールを効率的に視聴することができる。【選択図】図２
2005190088.tif 000002
【特許請求の範囲】
【請求項１】
映像データまたは音声データを含むメールデータを受信するデータ受信部と、
前記データ受信部で受信したメールデータの中から、引用された映像データまたは音声データを引用データとして検出する引用データ検出部と、
前記引用データの再生速度を制御する制御信号を出力する再生制御部と、
前記メールデータに含まれる映像データまたは音声データを再生する再生部とを備え、
前記再生部は、前記引用データを、前記制御信号に基づいた再生速度で再生することを特徴とするメール処理装置。
【請求項２】
前記引用データは、所定の情報記録領域にデータ作成者情報を含んでおり、
前記引用データ検出部は、前記データ作成者情報を用いて引用部分の検出を行う請求項１記載のメール処理装置。
【請求項３】
前記引用データに含まれる映像データまたは音声データは、ヘッダ部を有する所定の圧縮方式で圧縮されたデータであって、
前記データ作成者情報は、前記ヘッダ部に記録されていることを特徴とする請求項２記載のメール処理装置。
【請求項４】
前記引用データは、映像データまたは音声データの中に電子透かしの形式でデータ作成者情報を含んでおり、
前記引用データ検出部は、電子透かしの形式で埋め込まれた前記データ作成者情報を抽出し、抽出した前記データ作成者情報を用いて引用部分の検出を行う請求項１記載のメール処理装置。
【請求項５】
映像データまたは音声データを含むメールデータを送信するデータ送信部をさらに備え、
メールデータを送信するとき、前記映像データまたは前記音声データの所定の情報記録領域にデータ作成者情報を格納して送信する請求項１記載のメール処理装置。
【請求項６】
映像データまたは音声データを含むメールデータを送信するデータ送信部をさらに備え、
メールデータを送信するとき、前記映像データまたは前記音声データに、電子透かしの形式でデータ作成者情報を埋め込んで送信する請求項１記載のメール処理装置。
【請求項７】
映像データまたは音声データを含むメールデータを受信する第１のステップと、
前記メールデータから、引用された映像データまたは音声データを引用データとして検出する第２のステップと、
前記メールデータに含まれる映像データまたは音声データを再生するとき、前記引用データを、所定の速度で再生する第３のステップとを有することを特徴とするメール処理方法。
【請求項８】
前記引用データは、所定の情報記録領域にデータ作成者情報を含んでおり、
前記第２のステップは、前記データ作成者情報を用いて引用部分の検出を行う請求項７記載のメール処理方法。
【請求項９】
前記引用データは、映像データまたは音声データの中に電子透かしの形式でデータ作成者情報を含んでおり、
前記第２のステップは、電子透かしの形式で埋め込まれた前記データ作成者情報を抽出し、抽出した前記データ作成者情報を用いて引用部分の検出を行う請求項７記載のメール処理方法。
【請求項１０】
映像データまたは音声データを含んだメールデータを送信するとき、
前記映像データまたは前記音声データの所定の情報記録領域にデータ作成者情報を格納して送信するステップをさらに有する請求項７記載のメール処理方法。
【請求項１１】
映像データまたは音声データを含んだメールデータを送信するとき、
前記映像データまたは前記音声データに、電子透かしの形式でデータ作成者情報を埋め込んで送信するステップをさらに有する請求項７記載のメール処理方法。
【請求項１２】
映像データまたは音声データを含むメールデータを送受信するデータ送受信部と、前記メールデータから、引用された映像データまたは音声データを引用データとして検出する引用データ検出部と、前記引用データの再生速度を制御する制御信号を出力する再生制御部と、前記メールデータに含まれる映像データまたは音声データを再生するとき、前記引用データを、前記制御信号に基づいた再生速度で再生する再生部とを備え、映像データまたは音声データを含んだメールデータを送信するとき、前記映像データまたは前記音声データの所定の情報記録領域にデータ作成者情報を格納して送信する第１のメール送受信装置と、
メールデータを送受信するデータ送受信部と、前記データ送受信部で受信したメールデータを記憶するデータ記憶部と、前記メールデータを編集する編集部とを備え、映像データまたは音声データを含んだメールデータを送信するとき、前記データ送受信部で受信したメールデータに含まれる映像データおよび音声データを、引用データとして送信する第２のメール送受信装置とからなるメール処理システム。
【発明の詳細な説明】
【技術分野】
【０００１】
本発明は、映像または音声等を用いた通信データの効率的再生に関するものである。
【背景技術】
【０００２】
近年、録画・録音機能の付いた端末装置の普及により、映像や音声を用いたメールが普及している。映像や音声メールの交換が増えるにつれ、受信した映像や音声メールを引用した形で返信するシステムも提案されている（例えば、特許文献１参照）。
【特許文献１】特開２０００−２０９３４７号公報
【発明の開示】
【発明が解決しようとする課題】
【０００３】
しかし、従来の文字ベースのメールと異なり、特許文献１に示すようなシステムでは、映像や音声データを視聴するために、録画・録音されているデータと同じ実時間が必要になり、効率的な視聴が行いにくいという課題を有していた。
【０００４】
本発明は、前記従来の課題を解決するもので、映像や音声メールの視聴を効率的に行えるメール処理装置を提供することを目的とする。
【課題を解決するための手段】
【０００５】
前記従来の課題を解決するために、本発明のメール処理装置は、映像データまたは音声データを含むメールデータを受信するデータ受信部と、メールデータから、引用された映像データまたは音声データを引用データとして検出する引用データ検出部と、引用データの再生速度を制御する制御信号を出力する再生制御部と、メールデータに含まれる映像データまたは音声データを再生する再生部とを備え、再生部は、引用データを、制御信号に基づいた再生速度で再生することを特徴としている。
【０００６】
また、本発明のメール処理システムは、映像データまたは音声データを含むメールデータを送受信するデータ送受信部と、メールデータから、引用された映像データまたは音声データを引用データとして検出する引用データ検出部と、引用データの再生速度を制御する制御信号を出力する再生制御部と、メールデータに含まれる映像データまたは音声データを再生するとき、引用データを、制御信号に基づいた再生速度で再生する再生部とを備え、映像データまたは音声データを含んだメールデータを送信するとき、映像データまたは音声データの所定の情報記録領域にデータ作成者情報を格納して送信する第１のメール送受信装置と、メールデータを送受信するデータ送受信部と、データ送受信部で受信したメールデータを記憶するデータ記憶部と、メールデータを編集する編集部とを備え、映像データまたは音声データを含んだメールデータを送信するとき、データ送受信部で受信したメールデータに含まれる映像データおよび音声データを、引用データとして送信する第２のメール送受信装置とから構成されることを特徴としている。
【０００７】
このような構成によれば、元メールを引用した返信メールを視聴する際、自身が作成した映像・音声を高速再生することができるため、返信された映像・音声メールを短時間で視聴することができる。
【発明の効果】
【０００８】
本発明のメール処理装置あるいはメール処理システムによれば、自身が作成した映像・音声データが引用された返信メールを視聴する際に、引用部分を高速再生し、返信側で追加された新規映像・音声部分を通常再生することにより、元データと返答データとの対応を理解しつつ、返信された映像・音声メールを効率的に視聴することができる。
【発明を実施するための最良の形態】
【０００９】
以下本発明の実施の形態について、図面を参照しながら説明する。
【００１０】
（実施の形態１）
図１は、本発明の実施の形態１におけるメール処理装置の構成図である。図１において、データ記憶部１０２は、送受信したメールデータに含まれる、映像データ、音声データ、データ作成者情報、メール送信先情報、メール送信元情報、ユーザ情報のいくつか、あるいは全てを記録した記憶装置であり、データ送受信部１０１と連動してメールの送受信を行う。引用データ検出部１０３は前記データ記憶部１０２に記録されている映像データ、あるいは音声データから作成者情報を抽出し、ユーザ情報と比較することにより、引用されたデータを検出する。
【００１１】
ここで引用されたデータ（以下引用データともいう）とは、映像データまたは音声データを添付してメールを送信した場合に、添付した映像データまたは音声データがリプライメールの中にそのまま含まれている部分のデータをいう。
【００１２】
映像・音声再生制御部１０４は、前記引用データ検出部１０３により検出された引用データを高速に再生し、それ以外の部分を通常速度で再生するような制御信号を、映像・音声再生部１０５に出力する。映像・音声再生部１０５は映像・音声再生制御部１０４に指示されたとおりの再生速度で映像・音声データの再生を行う。
【００１３】
かかる構成によれば、自身が作成した映像・音声データが引用された返信メールを視聴する際に、引用部分を高速再生し、返信側で追加された新規映像・音声部分を通常再生することにより、元データと返答データとの対応を理解しつつ、返信された映像・音声メールを効率的に視聴することができる。
【００１４】
なお、メールデータに含まれる映像データまたは音声データは、自然画等のみならず、コンピュータ等で生成されたグラフィックデータや合成音のデータ等であってもよい。
【００１５】
（実施の形態２）
次に、本発明の実施の形態２のメール処理装置の説明を行う。図２は実施の形態２のメール処理システムの構成図である。図２において、図１と同じ構成要素については同じ符号を用い、説明を省略する。
【００１６】
図２において、データ記憶部２０２は映像データ、音声データ、データ作成者情報、メール送信先情報、メール送信元情報のいくつか、あるいは全てを記録した記憶装置であり、データ送受信部２０１と連動してメールの送受信を行う。映像・音声編集部２０３はデータ記憶部２０２に記録された映像データ・音声データを使用して、新たに返信映像データ・音声データを作成する。
【００１７】
かかる構成により、実施の形態１で述べたメール処理装置の引用データ検出部１０３における引用部分の検出が行いやすい形でのデータ編集を行うことにより、引用データ検出部１０３において高速あるいは高精度に引用部分の検出をおこなうことができる。
【００１８】
（実施の形態３）
次に、本発明の実施の形態３のメール処理装置の説明を行う。図３は実施の形態３で扱う映像データ構造の一例である。図４は実施の形態３で扱う音声データ構造の一例である。映像データの各々のＧＯＰ、音声データの各々のオーディオフレームに、データ作成者情報を付加することにより、返信メール編集側で、ＧＯＰ単位、オーディオフレーム単位での編集を行っても各々のＧＯＰあるいはオーディオフレームの作成者情報が保存される。そのため、このようなＧＯＰ単位、オーディオフレーム単位での編集によって引用された映像メール・音声メールを受信した際でも、引用データ検出部１０３において、各ＧＯＰ内あるいは各オーディオフレーム内の作成者情報とユーザ情報を比較することにより、正しく引用部分を検出することが出来る。
【００１９】
なお、本実施例ではＧＯＰヘッダ、あるいはオーディオフレームヘッダ内に作成者情報が記録されている例を示しているが、ヘッダ以外の部分に作成者情報が記録されている場合でも、各々のＧＯＰあるいは各々のオーディオフレーム内に作成者情報が記録されている限り、同様の効果が得られることは言うまでもない。
【００２０】
また、本実施例ではＭＰＥＧ映像データで使用されるＧＯＰに代表されるような、複数フレームをひとかたまりとして管理されているデータを例にとって説明しているが、モーションＪＰＥＧのように1フレーム単位で管理されている映像データでも、各フレームデータに作成者情報を付加することにより、同様の効果が得られる。なお、モーションＪＰＥＧのように、本来1フレーム単位で管理されているデータに対しても、複数フレームを１つの管理単位とし、各々の管理単位に対して作成者情報を付加しても、同様の効果が得られることは言うまでもない。
【００２１】
（実施の形態４）
次に、本発明の実施の形態４のメール処理装置の説明を行う。図５は実施の形態４で行われるデータ処理の流れの一例である。電子透かし埋込ステップ３０３において、映像・音声データ３０１に対して作成者情報３０２を電子透かしの形で埋め込み、メール送信ステップ３０４において、電子透かし埋込ステップ３０３で作成されたデータを送信する。上記メール送信ステップ３０４により送信されたデータは、映像・音声メール返信装置内のメール受信ステップ３０５によって受信され、引用を伴ったメール編集ステップ３０６において、映像・音声データは一部あるいは全部を引用された形で編集される。メール編集ステップ３０６において作成されたデータは、メール返信ステップ３０７において、メール処理装置側へ返送される。メール返信ステップ３０７で返送されたメールはメール受信ステップ３０８で受信された後、電子透かし抽出ステップ３０９で作成者情報３１０が抽出されるとともに、映像・音声データ３１１が得られる。抽出された作成者情報３１０は引用部分抽出ステップ３１２において、元データの作成者情報３０２と比較され、作成者情報３１０と作成者情報３０２とが一致する部分を引用部分として抽出する。再生速度制御データ作成ステップ３１３において、引用部分抽出ステップ３１２で抽出された情報を用いて、映像・音声データ３１１に対する再生速度制御データを作成する。この再生速度制御情報に従って、映像・音声再生ステップ３１４において映像・音声データ３１１を再生する。
【００２２】
ここに示したとおり、作成者情報を電子透かしの形で組み込むことにより、メール編集ステップ３０５においてデータの伸長・再圧縮等によるデータフォーマット変換が行われた場合であっても、引用部分抽出ステップ３１２において、正しく引用部分の抽出が行われる。
【産業上の利用可能性】
【００２３】
以上のように、本発明のメール処理装置あるいはメール処理システムによれば、自身が作成した映像・音声データが引用された返信メールを視聴する際に、引用部分を高速再生できるので、映像・音声を用いた通信データを効率的に送受信する情報端末等として有用である。
【図面の簡単な説明】
【００２４】
【図１】本発明の実施の形態１におけるメール処理装置の構成図
【図２】本発明の実施の形態２におけるメール処理システムの構成図
【図３】本発明の実施の形態３で扱われる映像データの構造図
【図４】本発明の実施の形態３で扱われる音声データの構造図
【図５】本発明の実施の形態４における、データ処理の流れを示す図
【符号の説明】
【００２５】
１０１    データ送受信部
１０２    データ記憶部
１０３    引用データ検出部
１０４    映像・音声再生制御部
１０５    映像・音声再生部
２０１    データ送受信部
２０２    データ記憶部
２０３    映像・音声編集部
３０１    映像・音声データ
３０２    作成者情報（透かしデータ）
３０３    電子透かし埋込ステップ
３０４    メール送信ステップ
３０５    メール受信ステップ
３０６    引用を伴ったメール編集ステップ
３０７    メール返信ステップ
３０８    メール受信ステップ
３０９    電子透かし抽出ステップ
３１０    作成者情報（透かしデータ）
３１１    映像・音声データ
３１２    引用部分検出ステップ
３１３    再生速度制御データ作成ステップ
３１４    映像・音声再生ステップ
【図１】
2005190088.tif 000003
【図２】
2005190088.tif 000004
【図３】
2005190088.tif 000005
【図４】
2005190088.tif 000006
【図５】
2005190088.tif 000007